(57)【要約】【課題】夜間など暗い場所でダンベルを使用したとき、または、使用後のダンベルを暗い場所に片付けるときでも、外部から容易に視認可能なダンベルを提供することを目的とする。【解決手段】使用者の手に把持される把持部が設けられたダンベル本体と、前記把持部が把持された状態で外部から視認可能な発光手段とを備えていることを特徴とする構成とした。【選択図】      図１
2004283517.tif 000002
【特許請求の範囲】
【請求項１】
使用者の手に把持される把持部が設けられたダンベル本体と、前記把持部が把持された状態で外部から視認可能な発光手段とを備えていることを特徴とするダンベル。
【請求項２】
発光手段が、蓄光材を光源としている請求項１に記載のダンベル。
【請求項３】
発光手段が、電池内臓の発光体を光源としている請求項１に記載のダンベル。
【発明の詳細な説明】
【０００１】
【発明の属する技術分野】
本発明は、筋力トレーニングにしようするダンベルに関し、より詳しくは、夜間など暗い場所でも容易に視認できるダンベルに関する。
【０００２】
【従来の技術】
ダンベルは、一般に上腕部を中心とした筋肉を鍛錬するための道具であるが、近年では、ダイエットや心肺機能の向上などを目的として、ダンベル体操やダンベルウォーキングなど幅広く利用されるようになってきている。
【０００３】
ダンベルは、重さや形状など様々なタイプのものが提案されており、所定の重さをした金属製の一体成形品タイプ、棒状の把持部の両端におもりが着脱自在になっているタイプ、中空の樹脂成形品に水や砂を入れて使用するタイプなどの他に、たとえば、特開平１１−３１９１４３号公報に記載されているようなタイプのものなどが知られている。
【特許文献】特開平１１−３１９１４３号
【０００４】
【発明が解決しようとする課題】
しかし、従来のダンベルは、鍛錬を目的としているその性格上、所定の重さを有している構成と、使用者が握ることのできる把持部を備えている構成を備えているが、これ以外の構成を備えていないのが一般的である。
【０００５】
したがって、従来のダンベルでは、暗い室内や室外でも夜間など暗い場所にダンベルが置かれている場合、どこにダンベルが置かれているのかを視認することが困難で、ダンベルに躓いてしまったり、踏みつけてしまったりするおそれがあった。
また、従来のダンベルを使用して夜間にダンベルウォーキングをした場合、ダンベルを使用している者が認識されにくく、特に自動車などの運転手にとっては、非常に見にくく、危険であるという問題もあった。
【０００６】
そこで、本発明は、上記問題点を鑑みてなされ、夜間など暗い場所でダンベルを使用したとき、または、使用後のダンベルを暗い場所に片付けるときでも、外部から容易に視認可能なダンベルを提供することを目的としている。
【０００７】
【課題を解決するための手段】
このような目的を達成するために、本発明の請求項１にかかるダンベル（以下、「請求項１のダンベル」とのみ記す。）は、使用者の手に把持される把持部が設けられたダンベル本体と、前記把持部が把持された状態で外部から視認可能な発光手段とを備えていることを特徴とする構成とした。
【０００８】
また、本発明の請求項２にかかるダンベル（以下、「請求項２のダンベル」とのみ記す。）は、請求項１のダンベルの構成に加えて、発光手段が、蓄光材を光源としている構成とした。
また、本発明の請求項３にかかるダンベル（以下、「請求項３のダンベル」とのみ記す。）は、請求項１または請求項２のダンベルの構成に加えて、発光手段が、電池内臓の発光体を光源としている構成とした。
【０００９】
上記構成において、ダンベル本体としては、たとえば、「おもり」となる部分（以下、「おもり部」と記す。）が把持部と一体となるように形成されているタイプや、おもりが把持部と別になっており任意に着脱できるように形成されているタイプや、中空の樹脂成形体内に砂や水などを充填させるタイプなどが挙げられるが、特に限定されない。
【００１０】
また、請求項２のダンベルのように蓄光材を使用する方法としては、特に限定されないが、たとえば、蓄光材を含んだ樹脂成形品をダンベルの一部としたり、ダンベル表面に蓄光材を直接塗布するようにしたり、蓄光材を含有している樹脂材料で成形した樹脂をダンベル表面にコーティングしたり、前記樹脂成形品をダンベルに取り付けるようにしたり、蓄光テープをダンベル表面に貼着したり透明樹脂内に入れたりすることが挙げられる。
【００１１】
また、ダンベルは、一般に、ダンベル形状と呼ばれている中央部分が窪んだ略円柱形状をしているものや、把持部となる芯材の両端に円盤状のおもりを取り付けた形状をしているものが挙げられるが、これら形状をしたものは、平坦な面に置いたときに転がるおそれがあるため、円の一部を切り欠くなどして転がりを防止するようにすることが好ましい。
なお、上記円の一部を切り欠く形態としては、円周の一部を直線状に切り欠くだけでなく、ダンベルの円盤形状のおもり部分や断面が円形をしているダンベル部分を六角形や八角形などの多角形に形成させるようにすることも含まれる。
【００１２】
また、ダンベルは、ダンベルを使用している者がダンベルを滑り落としてしまうことを防止するために、把持部に滑り止め加工を行うようにすることが好ましい。
滑り止め加工としては、特に限定されないが、たとえば、ローレット加工などにより把持部に滑り止め用の凹凸を形成させたり、滑り止め用の塗料などを塗布することなどが挙げられる。
また、表面が平滑な金属であるダンベルに滑り止めを設ける際には、滑り止め用の塗料がダンベル表面に付着されやすくするために、塗料の付着面となる部分を予め梨地加工しておくことが好ましい。
【００１３】
【発明の実施の形態】
以下に、本発明の実施の形態を、図面を参照しつつ詳しく説明する。
図１は、本発明にかかるダンベルの一実施の形態を示した斜視図である。
図１に示したように、ダンベル１は、ダンベル本体２と発光手段３とを備えている。
【００１４】
ダンベル本体２は、図１に示したように、鉄の表面にクロムメッキを施したいわゆるダンベル形状をしており、中央部分に径を小さく形成してなる把持部２０が設けられている。
また、ダンベル本体２の両端面には、発光手段３を取り付けるための雌ネジ２１が形成されている。
【００１５】
発光手段３は、図１に示したように、合成樹脂材に蓄光材（商品名：ルミノー場（Ｎ夜光）、根本特殊化学株式会社製）を配合して略円柱形に形成したものであり、一端にダンベル本体２の雌ネジ２１に螺合する雄ネジ３１が設けられている。
発光手段３は、図示していないが、紫外線等の外部刺激を吸収し可視光線に変え、この外部刺激が停止した後も数時間に渡り残光を発するという性質を有しているため、暗所でダンベル１を使用していても発光手段３が発光して外部から視認容易となるようになっている。
【００１６】
以上のような構成をしているダンベル１は、通常のダンベルと同様、筋肉の鍛錬を行ったり、ダンベル体操やダンベルウォーキングなどを行ったりして利用することができる。
また、ダンベル１は、ダンベル本体２の両端側部分に発光手段３を備えているため、夜間に発光手段３が発光することにより、ダンベルウォーキングをしてもダンベル１を外部から容易に視認することが可能となるため、安全性の向上を図ることができる。
同様に、使用した後のダンベル１を暗い部屋や倉庫などに片付ける際、ダンベル１を部屋の床に置いたときでも、発光手段３が発光しているため、ダンベル１に躓いたり、ダンベル１を踏みつけたりしてしまうことがなくなる。
【００１７】
なお、本発明にかかるダンベルは、上記実施の形態に限定されない。
たとえば、ダンベル１では、発光手段３が、樹脂材料に蓄光材を含ませたものを成形することにより形成されていたが、このような形態に限らず、たとえば、図３に示したように、ダンベル本体２の雌ネジ２１と螺合する雄ネジ４１を備えた透明の樹脂成形体４にスリット４２を設けて、スリット４２内に市販の蓄光テープ４３を挿入させるようにしても良い。
【００１８】
また、上述した実施の形態では発光手段として、蓄光材を光源としていたが、蓄光材に代えて、小型の懐中電灯などの電池内臓の発光体をダンベル本体内に収納させ、透明や半透明の樹脂成形体からなるカバーをすることで、前記電池内臓の発光体を光源として、この発光体からの光を前記樹脂成形体を通して外部から視認可能とするようにしても良い。
この場合、蓄光材よりも発光の明るさを大きくすることができ、また、カバーを着色することで、発光させる色を任意に選択することが可能となる。さらに、懐中電灯のように足元など所定の位置を照らすのに使用することも可能となる。
【００１９】
また、ダンベル１は、金属製のダンベル本体２の両端に発光手段３としての樹脂成形体が取り付けられた形状をしていたが、これに代えて、たとえば、樹脂製の心棒からなるダンベル把持部に金属製のおもりを取り付けるようにしてダンベルが形成されるようになっていても構わない。この場合、発光手段は、樹脂製の心棒に蓄光材を含ませたり、蓄光テープを心棒やおもりに貼り付けたりすることが考えられる。
【００２０】
また、上記実施の形態では、把持部２０は、滑り止め処理がなされていなかったが、この部分をローレット加工したり、ゴムなどの摩擦抵抗の大きな滑り止め部材を取り付けたり、滑り止め用の塗料を塗布したりして滑り止め処理を行っても構わない。
【００２１】
さらに、本発明にかかるダンベルは、筋肉の鍛錬やダンベルウォーキングなどのように一般的なダンベルの使用方法に加え、発光手段により発光される光が生み出す美しさを生かして室内のインテリアとして使用可能とするために、美的外観に優れたデザインを形成させるようにしても構わない。
【００２２】
【発明の効果】
本発明にかかるダンベルは、発光手段を備えているため、夜間など暗い場所でダンベルを使用するとき、または、使用後のダンベルを暗い場所に片付けるときなどであっても、発光手段から発光される光により、外部から容易にダンベルの位置を視認することができる。
【００２３】
したがって、夜間にダンベルウォーキングを行っても、ダンベルが外部から視認されることで、自動車や自転車などからダンベルを使用している者の位置を把握することが容易となるため、安全上好適である。
また、ダンベルが暗い室内に置かれている場合であっても、ダンベルが外部から視認可能に光ることにより、室内に入ってきた者が、ダンベルに躓いたり、ダンベルを踏みつけたりすることがなくなる。
視認することができる
【図面の簡単な説明】
【図１】本発明にかかるダンベルの１実施形態を示した分解斜視図である。
【図２】図１に示したダンベルを組み立てた状態を示した斜視図である。
【図３】本発明にかかるダンベルの別の実施形態における発光手段を説明するための斜視図である。
【符号の説明】
１        ダンベル
２        ダンベル本体
２０      把持部
３        発光手段
【図１】
2004283517.tif 000003
【図２】
2004283517.tif 000004
【図３】
2004283517.tif 000005